(57)【要約】      （修正有）【課題】計時器または宝飾品のための取り外し可能なブレスレットを提供する。【解決手段】計時器または宝飾品のための取り外し可能なブレスレットであって、ブレスレット部分は時計または宝飾品のバーを閉じ込めるように構成され、このバーを収容するように構成されたチャンバ２を、ブレスレット部分の端部に備え、チャンバ２はブレスレット部分の第１の側面上に、バーの挿入または取出しのための横方向の開口部を含み、ブレスレット部分は、ばね５に対して長手方向に移動可能な舌状部４を制御するプッシャ６を含み、プッシャ６は横方向に移動可能であり、プッシャ６の横方向運動を舌状部４の長手方向運動に変換するための、舌状部４の第２のプロファイルと協働するように構成された第１のプロファイルを含み、ブレスレットは、プッシャ６をブレスレット部分の奥行き内に保持するための、第１の側面上に構成された閉鎖手段９を含む。【選択図】図１
2019037771.tif 000002
【特許請求の範囲】
【請求項１】
少なくとも１つのバーを備え、時計または宝飾品用のバーと共に組み立てられるように構成された少なくとも１つのブレスレット部分（１）を含む、取り外し可能なブレスレットまたはリストバンド（１００）を備える計時器または宝飾品ピース（１０００、２０００）であって、
前記バーは所与の形状および所与の寸法の幾何学的エンベロープの内部に内接しており、
前記ブレスレット（１００）は、前記少なくとも１つのブレスレット部分（１）の端部に、前記所与の形状および前記所与の寸法と相補的な形状および寸法を有し、前記バーを収容するように構成されたチャンバ（２）を含み、
前記チャンバ（２）は前記ブレスレット部分（１）の第１の側面上に、前記バーの挿入または取出しのための横方向の開口部（３）を含み、
前記ブレスレット部分（１）は、弾性リターン手段（５）に対して、前記ブレスレット部分（１）の長手方向（ＤＬ）に移動可能な舌状部（４）を含み、更に前記舌状部（４）を制御するためのプッシャ（６）を含み、
前記プッシャ（６）は、前記長手方向（ＤＬ）に実質的に直角な横方向（ＤＴ）に、かつ前記ブレスレット部分（１）の奥行きに沿って移動可能であり、前記プッシャ（６）の横方向運動を前記舌状部（４）の長手方向運動に変換するための、前記舌状部（４）の第２のプロファイル（８）と協働するように構成された第１のプロファイル（７）を含み、
前記ブレスレット（１００）は、前記プッシャ（６）を前記ブレスレット部分（１）の奥行き内に保持するための、前記第１の側面上に構成された閉鎖手段（９）を含み、
前記計時器または宝飾品ピース（１０００、２０００）は、第１の前記幾何学的エンベロープの内部に内接している第１のバー（１０１）と、第１のブレスレット部分（１１）であって、前記第１のブレスレット部分（１１）の第１のチャンバ（２１）が前記第１のバー（１０１）を受容するように寸法決めされている、第１のブレスレット部分（１１）とを含み、
前記計時器または宝飾品ピース（１０００、２０００）は、第１の前記幾何学的エンベロープとは異なる第２の前記幾何学的エンベロープの内部に内接している第２のバー（１０２）と、第２のブレスレット部分（１２）であって、前記第２のブレスレット部分（１２）の前記第２のチャンバ（２２）が前記第２のバー（１０２）を受容するが前記第１のバー（１０１）は受容しないように寸法決めされている、第２のブレスレット部分（１２）とを含み、
前記第１のチャンバ（２１）は前記第２のバー（１０２）を受容することができない、
計時器または宝飾品ピース（１０００、２０００）。
【請求項２】
前記閉鎖手段（９）は、前記プッシャ（６）を前記ブレスレット部分（１）の奥行き内に恒久的に閉じ込めるように構成されている、可撓性材料でできているオーバーモールドされたリップ（１０）を含むことを特徴とする、請求項１に記載の計時器または宝飾品ピース（１０００、２０００）。
【請求項３】
前記オーバーモールドされたリップ（１０）は、前記弾性リターン手段（５）を前記ブレスレット部分（１）の奥行き内に恒久的に閉じ込めるように構成されていることを特徴とする、請求項２に記載の計時器または宝飾品ピース（１０００、２０００）。
【請求項４】
前記オーバーモールドされたリップ（１０）は、前記舌状部（４）を前記ブレスレット部分（１）の奥行き内に恒久的に閉じ込めるように構成されていることを特徴とする、請求項２に記載の計時器または宝飾品ピース（１０００、２０００）。
【請求項５】
前記オーバーモールドされたリップ（１０）は、前記ブレスレット部分（１）と一体であることを特徴とする、請求項２に記載の計時器または宝飾品ピース（１０００、２０００）。
【請求項６】
前記プッシャ（６）は、前記閉鎖手段（９）に接触して協働するように構成された停止手段（６９）を含むことを特徴とする、請求項１に記載の計時器または宝飾品ピース（１０００、２０００）。
【請求項７】
前記チャンバ（２）は、前記チャンバ（２）の可撓性の壁内に構成されるか、または前記チャンバ（２）の一側面の境界を定めている可撓性リップ（２４）により支えられている少なくとも１つのノッチ（３０）によって、前記開口部（３）から分離されていることを特徴とする、請求項１に記載の計時器または宝飾品ピース（１０００、２０００）。
【請求項８】
前記舌状部（４）は、前記ブレスレット（１００）内に設けられたインサート（４０）のクレビス内で、前記長手方向（ＤＬ）にのみ移動可能なスライドを形成していることを特徴とする、請求項１に記載の計時器または宝飾品ピース（１０００、２０００）。
【請求項９】
前記インサート（４０）の前記クレビスは、前記プッシャ（６）内に設けられた相補的なガイド手段（６６）の移動をガイドするように構成された、前記横方向（ＤＴ）に延びる横方向ガイド手段（４６）を含むことを特徴とする、請求項８に記載の計時器または宝飾品ピース（１０００、２０００）。
【請求項１０】
前記弾性リターン手段（５）は、前記インサート（４０）の前記クレビスの壁（４１）と、前記舌状部（４）の支持面（４２）との間に閉じ込められていることを特徴とする、請求項８に記載の計時器または宝飾品ピース（１０００、２０００）。
【請求項１１】
チャンバ（２）が前記インサート（４０）の前記クレビスの奥行き内に構成されていることを特徴とする、請求項８に記載の計時器または宝飾品ピース（１０００、２０００）。
【請求項１２】
前記チャンバ（２）は、前記チャンバ（２）の可撓性の壁内に構成されるか、または前記チャンバ（２）の一側面の境界を定めている可撓性リップ（２４）により支えられている少なくとも１つのノッチ（３０）によって、前記開口部（３）から分離されており、前記インサート（４０）の前記クレビスは少なくとも１つの前記可撓性リップ（２４）を含むことを特徴とする、請求項１１に記載の計時器または宝飾品ピース（１０００、２０００）。
【請求項１３】
請求項１に記載の計時器または宝飾品ピース（１０００、２０００）であって、第１のホーン上の前記第１のバー（１０１）と、第２のホーン上の第２のバー（１０２）とを含み、それにより前記第１のホーンに取り付けられるように構成された第１の上側ブレスレット部分（１１）と、前記第２のホーンに取り付けられるように構成された第２の下側ブレスレット部分（１２）とを区別し、前記ピースは時計（１０００）であることを特徴とする、計時器または宝飾品ピース（１０００、２０００）。
【請求項１４】
請求項１に記載の計時器または宝飾品ピース（１０００、２０００）であって、第１のホーン上の前記第１のバー（１０１）と、第２のホーン上の第２のバー（１０２）とを含み、それにより前記第１のホーンに取り付けられるように構成された第１の上側ブレスレット部分（１１）と、前記第２のホーンに取り付けられるように構成された第２の下側ブレスレット部分（１２）とを区別し、前記ピースは宝飾品ピース（２０００）であることを特徴とする、計時器または宝飾品ピース（１０００、２０００）。
【発明の詳細な説明】
【技術分野】
【０００１】
本発明は少なくとも１つのバーを備え、時計または宝飾品用のバーと共に組み立てられるように構成された少なくとも１つのブレスレット部分を含む、取り外し可能なブレスレットまたはリストバンドを備える計時器または宝飾品ピースに関し、バーは所与の形状および所与の寸法の幾何学的エンベロープの内部に内接しており、ブレスレットは、少なくとも１つのブレスレット部分の端部に、所与の形状および所与の寸法と相補的な形状および寸法を有し、バーを収容するように構成されたチャンバを含み、チャンバはブレスレット部分の第１の側面上に、バーの挿入または取出しのための横方向の開口部を含み、ブレスレット部分は、弾性リターン手段に対して、ブレスレット部分の長手方向に移動可能な舌状部を含み、更に舌状部を制御するためのプッシャを含み、プッシャは、長手方向に実質的に直角な横方向に、かつブレスレット部分の厚さまたは奥行きに沿って移動可能であり、プッシャの横方向運動を舌状部の長手方向運動に変換するための、舌状部の第２のプロファイルと協働するように構成された第１のプロファイルを含み、ブレスレットは、プッシャをブレスレット部分の奥行き内に保持するための、第１の側面上に構成された閉鎖手段を含む。
【０００２】
本発明は計時器または宝飾品の分野に関する。
【背景技術】
【０００３】
時計または宝飾品ブレスレットは重要なアクセサリであり、利用者が快適に着用でき、かつ、あらゆる状況において、特にこれらの物品が高い加速度にさらされ得るプロ使用またはスポーツ使用の最中に、時計または宝飾品ピースが確実に固定されていることを保証しなければならない。
【０００４】
ブレスレットは時計または宝飾品ピースの審美性に極めて大きく寄与し、これらに特徴的な外観を提供し、利用者のスタイルまたは利用者が着ている衣服のスタイルを表し、このことから、この物品がカスタム化できるように設計され、利用者が自分で交換することを意図した、取り外し可能なブレスレットの利点は明らかである。
【０００５】
しかし、完全な審美性、完璧に確実な固定、高い堅牢性、および利用者による、特に特別な工具を必要としない交換容易性の組み合わせを成功させたブレスレットを見いだすことはまれである。
【０００６】
ＮＥＬＳＯＮによる米国特許出願第１６５３０５８Ａ号は、その側部を介して操作可能な閉鎖用舌状部を有するブレスレットの端部フックについて開示している。
【０００７】
ＭＩＮＵＴＯＬＩによる米国特許出願第３０３６３５３Ａ号は、ばね仕掛けのプッシャを用いた締め具機構に類似した、ブレスレット端部の接続機構について開示している。
【発明の概要】
【０００８】
本発明は、これら全ての要求事項を満足する締結システムが設けられたブレスレットを規定することを提案し、接続バーを有する、時計または宝飾品ピース用の最も一般的なケース用に設計され、特に宝飾品ではバーは一般には宝飾品ピースの本体から分解することができないので、もし分解が可能な場合は、このバーの分解は防止される。
【０００９】
この目的のために、本発明は、請求項１による、少なくとも１つのバーを備え、ブレスレットを備える計時器または宝飾品ピースに関する。
【００１０】
本発明の他の特徴および利点は、以下の詳細な説明を読み、添付図面を参照すると明らかであろう。
【図面の簡単な説明】
【００１１】
【図１】本発明によるブレスレットの端部の概略的斜視図を示し、特に既存のブレスレット部分に適合し易いインサートの形で形成され、バーを閉じ込めるように構成されたチャンバを備え、チャンバは舌状部によって閉じることのできる開口部を含み、舌状部の移動量はばね式のプッシャにより制御され、インサートはブレスレットが交換可能な開位置にある状態を示す。
【図２】各側面から突出したバーと協働して、図１のインサートによって形成された組立部品の概略上面図である。
【図３】ブレスレットを交換できる開位置にある、図２の組立部品の側面図である。
【図４】図２のＡＡ断面に沿った、同じ組立部品の断面図であり、プッシャがリターンスプリングを圧縮しチャンバ内の開口部から舌状部を開放している。
【図５】図２のＢＢ断面に沿った、同じ組立部品の断面図であり、動程内をガイドされるプッシャを示す。
【図６】同じインサートの概略図の上面から見た分解斜視図を示す。
【図７】同じインサートの概略図の底面から見た分解斜視図を示す。
【図８】図１と同一であるが、ユーザによる意図的な操作無しでは、バーが舌状部を越えて移動できない閉位置にあり、リターンスプリングが最大に伸張した状態にある。
【図９】図２と同一であるが、ユーザによる意図的な操作無しでは、バーが舌状部を越えて移動できない閉位置にあり、リターンスプリングが最大に伸張した状態にある。
【図１０】図３と同一であるが、ユーザによる意図的な操作無しでは、バーが舌状部を越えて移動できない閉位置にあり、リターンスプリングが最大に伸張した状態にある。
【図１１】図４と同一であるが、ユーザによる意図的な操作無しでは、バーが舌状部を越えて移動できない閉位置にあり、リターンスプリングが最大に伸張した状態にある。
【図１２】図５と同一であるが、ユーザによる意図的な操作無しでは、バーが舌状部を越えて移動できない閉位置にあり、リターンスプリングが最大に伸張した状態にある。
【図１３】図６と同一であるが、ユーザによる意図的な操作無しでは、バーが舌状部を越えて移動できない閉位置にあり、リターンスプリングが最大に伸張した状態にある。
【図１４】図７と同一であるが、ユーザによる意図的な操作無しでは、バーが舌状部を越えて移動できない閉位置にあり、リターンスプリングが最大に伸張した状態にある。
【図１５】バー、およびインサートチャンバの対応するハウジングの特定の輪郭を示し、同一のブレスレットの上側部分と下側部分とを区別している。
【図１６】バー、およびインサートチャンバの対応するハウジングの特定の輪郭を示し、同一のブレスレットの上側部分と下側部分とを区別している。
【図１７】図４と同様の断面図であり、交差斜線で示すオーバーモールドされたリップを備える実施形態を示し、インサート内で舌状部の全部または一部が固定化されている。
【図１８】図４と同様の断面図であり、交差斜線で示すオーバーモールドされたリップを備える実施形態を示し、インサート内で舌状部とリターンスプリングの全部または一部が固定化されている。
【図１９】図４と同様の断面図であり、交差斜線で示すオーバーモールドされたリップを備える実施形態を示し、インサート内で舌状部とプッシャとリターンスプリングの全部または一部が固定化されている。
【図２０】図４と同様の断面図であり、交差斜線で示すオーバーモールドされたリップを備える実施形態を示し、インサート内で舌状部とプッシャの全部または一部が固定化されている。
【図２１】図４と同様の断面図であり、交差斜線で示すオーバーモールドされたリップを備える実施形態を示し、インサート内で舌状部とプッシャとリターンスプリングの全部または一部が固定化されている。
【図２２】図４と同様の断面図であり、交差斜線で示すオーバーモールドされたリップを備える実施形態を示し、インサート内でプッシャとリターンスプリングの全部または一部が固定化されている。
【図２３】時計を示し、時計が装着されたブレスレットを含んでいる。
【図２４】宝飾品ピースを示し、宝飾品ピースが装着されたブレスレットを含んでいる。
【発明を実施するための形態】
【００１２】
本発明は計時器または宝飾品ピース、特に時計１０００または宝飾品ピース２０００に関し、接続バー１０１、１０２を備え、ブレスレット１００を備え、ブレスレットをそのような時計１０００の中へ、またはそのような宝飾品ピース２０００の中へ組み込むための締結システムが設けられ、ブレスレットが交換されるとき、バーが時計１０００または宝飾品ピース２０００の中の所定位置に残ることができるように設計されている。
【００１３】
この取り外し可能な計時器または宝飾品用のブレスレット１００は、時計または宝飾品バーに組み立てられるように構成された、少なくとも１つのブレスレット部分１を含む。
【００１４】
このバー１０１、１０２は所与の形状および所与の寸法の幾何学的エンベロープの内部に内接している。
【００１５】
ブレスレット１００は、ブレスレット部分１の端部に、上記所与の形状および上記所与の寸法と相補的な形状および寸法を有し、バー１０１、１０２を収容し閉じ込めるように構成されたチャンバ２を含む。
【００１６】
ブレスレット１００は、少なくとも直径に関しては比較的標準的なバーを有する、数多くの商用の時計ケースに取り付け可能な、汎用のブレスレットであってもよいが、物品を破損する可能性のある、いかなるブレスレットの組み立ても防止し、または平凡に見えることを防止するために、特別な形状を有するバーを備えた時計ケースまたは宝飾品ピースに特有のブレスレットであってもよい。
【００１７】
図は、ブレスレットの端部にインサート４０を含むブレスレット１００の特定の場合を示し、これは連続的な製造ができ、かつ保管費用を削減できるという利点を有する。
【００１８】
しかし、例えばセラミックまたは金属または他の材料でできているブレスレットは、インサートを有するブレスレットの場合に対するこの特定のかつ好ましい適用においては、端部が直接、後述のように装備されたブレスレット部分を明白に備えていてもよい。
【００１９】
チャンバ２、特にインサート４０の構造内に作成されたチャンバは、しかしこれに限定されないが、ブレスレット部分１の第１の側面上に、バーの挿入または取出しのための横方向の開口部３を含む。このブレスレット部分１は、弾性リターン手段５に対して、ブレスレット部分１の長手方向ＤＬに移動可能な舌状部４を含み、更に舌状部４を制御するためのプッシャ６を含む。
【００２０】
プッシャ６は、長手方向ＤＬに実質的に直角な横方向ＤＴに、かつブレスレット部分１の厚さまたは奥行きに沿って移動可能であり、舌状部４内に設けられた、第２のプロファイル８とそれに協働する用に構成された第１のプロファイル７を含み、プッシャ６の横方向運動を舌状部４の長手方向運動に、特に横方向ＤＴと長手方向ＤＬの両方に対して傾斜している平面上での運動に変換する。
【００２１】
ブレスレット１００は、第１の側面上に構成された閉鎖手段９を含み、プッシャ６をブレスレット部分１またはそのインサート４０の奥行き内に保持する。
【００２２】
より具体的には、閉鎖手段９は、エラストマ、ゴム、シリコーンまたは類似のものなどの、可撓性材料でできているオーバーモールドされたリップ１０を含み、プッシャ６をブレスレット部分１またはそのインサート４０の奥行き内に、恒久的に閉じ込めるように構成されている。
【００２３】
より具体的には、図１８、図１９、図２０、図２２に示すように、オーバーモールドされたリップ１０は、弾性リターン手段５をブレスレット部分１またはそのインサート４０の奥行き内に恒久的に閉じ込めるように構成されている。
【００２４】
より具体的には、図１７、図１８、図１９、図２０、図２１に示すように、オーバーモールドされたリップ１０は、舌状部４をブレスレット部分１またはそのインサート４０の奥行き内に恒久的に閉じ込めるように構成されている。
【００２５】
特定の一実施形態では、オーバーモールドされたリップ１０はブレスレット部分１と一体であり、特にブレスレット部分と、その内部に設けられるインサート４０を共に固定する。
【００２６】
オーバーモールドすることの代替は、ブレスレット部分を構成する、例えば皮、繊維、エラストマ、ゴム、シリコーンなどの材料の可撓性を用いることであり、ブレスレット部分にはその内部にポケットが形成され、その中にインサートが恒久的に閉じ込められる。
【００２７】
両方の場合において、ユーザはブレスレット部分の「スキン」を通して、横方向ＤＴへの圧力によりプッシャ６を操作することができる。ブレスレット部分の奥行き内に埋め込まれたプッシャ６は外部との接触はなく、意図せずに操作されることはない。
【００２８】
より具体的には、図６、図７、図１３および図１４に示すように、プッシャ６は、閉鎖手段９に接触して協働するように構成された停止手段６９を含む。従ってプッシャは、その位置に関わらずハウジングの内側に閉じ込められたままである。
【００２９】
有益な一実施形態では、特にバーが適切に挿入されたか、取り外されたかをユーザが感じることができるように、チャンバ２は、チャンバ２の可撓性の壁内に構成されるか、またはチャンバ２の一側面の境界を定めている可撓性リップ２４により支えられている少なくとも１つの隆起したノッチ３０によって、開口部３から分離されている。
【００３０】
閉鎖システムはまた、バーがチャンバ内部に適切に挿入され閉じ込められていて、システムが正しく閉鎖できることを確実にするためのフールプルーフシステムを含んでもよく、これは例えばチャンバ２の底部における湾曲した、可撓性の金属小片の形であって、バーが停止表面に至ったときに変形し、従ってバーがチャンバ内で適切な位置にあることを示す「カチッ」という音を発生させる。この小片は、バーがハウジングの底部にないときは開口部３を介して突出しており、バーがハウジングの底部にあるときは、小片が変形し、チャンバ２内部で後退し、開口部３を介して突出することはもはやない。この小片は形状記憶材料またはアモルファス金属で作製することができる。
【００３１】
より具体的には、舌状部４はブレスレット１００内に設けられたインサート４０のブラケット内で、長手方向ＤＬにのみ移動可能なスライドを形成する。
【００３２】
より具体的には、インサート４０のこのクレビスは、図３、図６、図７、図１３および図１４に示すように、プッシャ６内に備えられた相補的なガイド手段６６の移動をガイドするように構成された、横方向ＤＴに延びる横方向ガイド手段４６を含む。
【００３３】
より具体的には、弾性リターン手段５は、特にばね、図の場合はつる巻きばねで形成されており、インサート４０のクレビスの壁４１と、舌状部４の支持面４２との間に閉じ込められている。
【００３４】
より具体的には、チャンバ２はインサート４０のクレビスの奥行き内に構成されている。
【００３５】
より具体的には、インサート４０のクレビスは、少なくとも１つの可撓性リップ２４を含み、挿入後にバーと接触して協働するように構成されている。
【００３６】
インサート４０は成形により、例えば金属粉末成形により作製することができる。弾性リターン手段５は、例えばジグザグばねの形でインサートの本体と一体であってもよい。
【００３７】
当然、追加の安全装置を追加することもでき、例えばプッシャへのアクセスを可能にする前の、組込式ラッチによるクォータ回転ロック（航空用締結具「Ｒｉｖｋｌｅ］タイプまたは類似品」）があり、このラッチは製造者のロゴを含む場合があり、開けるためには特定の角度にする必要がある。
【００３８】
上側ブレスレット部分と下側ブレスレット部分とを区別するために、本発明の特定の一実施形態では、ブレスレット１００は、第１の幾何学的エンベロープの内部に内接している第１のバー１０１と、第１のブレスレット部分１１であって、第１のブレスレット部分１１の第１のチャンバ２１が第１のバー１０１を受容するように寸法決めされている、第１のブレスレット部分１１とを含み、ブレスレット１００は、第１の幾何学的エンベロープとは異なる第２の幾何学的エンベロープの内部に内接している第２のバー１０２と、第２のブレスレット部分１２であって、第２のブレスレット部分１２の第２のチャンバ２２が第２のバー１０２を受容するが第１のバー１０１は受容しないように寸法決めされている、第２のブレスレット部分１２とを含み、異なる位置に配置された溝を含む、図１５および図１６の特定の例に示すように、第１のチャンバ２１は第２のバー１０２を受容することができない。他の手段で区別することも可能であり、バーの直径による手段、断面の形状による（正方形、三角形、六角形など）手段がある。この特定の構成は偽造を防止する。
【００３９】
このような区別した組立部品によって、左利きの人向けにブレスレットをデザインすることも可能である。
【００４０】
本発明はより具体的には、そのようなブレスレット１００を備える時計１０００に関し、ブレスレットは、第１のホーン上に第１のバー１０１を受容し、第２のホーン上に第２のバー１０２を受容するように構成され、それにより第１のホーンに取り付けられるように構成された第１の上側部分１１と、第２のホーンに取り付けられるように構成された第２の下側部分１２とを区別している。
【００４１】
本発明はより具体的には、そのようなブレスレット１００を含む宝飾品ピース２０００に関し、上で開示した全ての構成を明白に含んでもよく、特に、第１のホーン上に第１のバー１０１を受容し、第２のホーン上に第２のバー１０２を受容するように構成され、それにより第１のホーンに取り付けられるように構成された第１の上側部分１１と、第２のホーンに取り付けられるように構成された第２の下側部分１２とを区別している。
【符号の説明】
【００４２】
１  ブレスレット部分
２  チャンバ
３  開口部
４  舌状部
５  弾性リターン手段
６  プッシャ
７  第１のプロファイル
８  第２のプロファイル
９  閉鎖手段
１０  リップ
１１  第１のブレスレット部分
１２  第２のブレスレット部分
２１  第１のチャンバ
２２  第２のチャンバ
２４  可撓性リップ
３０  ノッチ
４０  インサート
４１  壁
４２  支持面
４６  横方向ガイド手段
６６  ガイド手段
６９  停止手段
１００  ブレスレット
１０１  第１のバー
１０１  バー
１０２  第２のバー
１０２  バー
１０００  時計
２０００  宝飾品ピース
【図１】
2019037771.tif 000003
【図２】
2019037771.tif 000004
【図３】
2019037771.tif 000005
【図４】
2019037771.tif 000006
【図５】
2019037771.tif 000007
【図６】
2019037771.tif 000008
【図７】
2019037771.tif 000009
【図８】
2019037771.tif 000010
【図９】
2019037771.tif 000011
【図１０】
2019037771.tif 000012
【図１１】
2019037771.tif 000013
【図１２】
2019037771.tif 000014
【図１３】
2019037771.tif 000015
【図１４】
2019037771.tif 000016
【図１５】
2019037771.tif 000017
【図１６】
2019037771.tif 000018
【図１７】
2019037771.tif 000019
【図１８】
2019037771.tif 000020
【図１９】
2019037771.tif 000021
【図２０】
2019037771.tif 000022
【図２１】
2019037771.tif 000023
【図２２】
2019037771.tif 000024
【図２３】
2019037771.tif 000025
【図２４】
2019037771.tif 000026